(57)【要約】  本発明の実施形態は、システム情報処理方法、装置及び通信システムを提供する。本発明の方法は、第１の同期信号を受信するステップと、第１の同期信号の構成情報がシステム情報変更の指示として構成されているか否かを識別し、第１の同期信号の構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新するステップと、を含む。本発明の実施形態は、システム情報が受信された後にのみシステム情報が変更されたことを知る必要がなく、ＵＥの消費電力を効果的に低減することができる。また、ＵＥは低消費電力の場合に迅速にシステム情報の変更を知ることができる。
2017503419.tif 000002
【特許請求の範囲】
【請求項１】
第１の同期信号を受信するステップと、
前記第１の同期信号の構成情報がシステム情報変更の指示として構成されているか否かを識別し、前記第１の同期信号の前記構成情報が前記システム情報変更の指示として構成されていると識別された場合、ブロードキャストされるシステム情報を受信し、前記第１の同期信号と受信された前記ブロードキャストされるシステム情報とに従って、現在の同期信号と前記システム情報とのマッピング関係を更新するステップと、
を含む、システム情報処理方法。
【請求項２】
前記第１の同期信号の構成情報がシステム情報変更の指示として構成されているか否かを識別し、前記第１の同期信号の前記構成情報が前記システム情報変更の指示として構成されていると識別された場合、ブロードキャストされるシステム情報を受信し、前記第１の同期信号と受信された前記ブロードキャストされるシステム情報とに従って、現在の同期信号と前記システム情報とのマッピング関係を更新する前記ステップは、
前記第１の同期信号の前記構成情報を、前記現在の同期信号と前記システム情報との前記マッピング関係中の同期信号の構成情報と比較するステップと、
前記第１の同期信号の前記構成情報が前記現在の同期信号と前記システム情報との前記マッピング関係中の前記同期信号の前記構成情報と異なる場合、ブロードキャストされる第１のシステム情報を受信し、前記同期信号と前記システム情報との前記マッピング関係に前記第１の同期信号と前記第１のシステム情報とのマッピング関係を記憶するステップと、
を含む、請求項１に記載の方法。
【請求項３】
前記第１のシステム情報が第２の同期信号を含み、且つ、前記第２の同期信号の構成情報が予め設定されたブロードキャスト情報が開始されることの指示として構成されている場合、前記予め設定されたブロードキャスト情報を取得し、前記予め設定されたブロードキャスト情報を保存する、
請求項２に記載の方法。
【請求項４】
第１の同期信号を受信する前記ステップの前に、
第３の同期信号を受信し保存するステップと、
ブロードキャストされる第３のシステム情報を受信し、前記第３の同期信号及び前記第３のシステム情報に従って、前記現在の同期信号と前記システム情報との前記マッピング関係を確立するステップと、
を更に含む、請求項１に記載の方法。
【請求項５】
前記第３の同期信号はＮ個のグループの構成情報を含み、前記第３のシステム情報はＮ個の部分のシステム情報を含み、ｉ番目のグループの構成情報はｉ番目の部分のシステム情報に対応し、且つ、前記ｉ番目の部分のシステム情報が変更されるか否かを示すのに用いられ、
ｉとＮの両方は正の整数であり、ｉはＮ以下である、
請求項４に記載の方法。
【請求項６】
前記第１の同期信号の構成情報がシステム情報変更の指示として構成されているか否かを識別し、前記第１の同期信号の前記構成情報が前記システム情報変更の指示として構成されていると識別された場合、ブロードキャストされるシステム情報を受信し、前記第１の同期信号と受信された前記ブロードキャストされるシステム情報とに従って、現在の同期信号と前記システム情報とのマッピング関係を更新する前記ステップは、
前記第１の同期信号の前記構成情報が前記システム情報変更の指示として構成されているか否かを識別し、前記第１の同期信号のｉ番目のグループの構成情報が前記第１のシステム情報のｉ番目の部分のシステム情報の変更の指示として構成されていると識別された場合、ブロードキャストされるｉ番目の部分のシステム情報を受信し、前記ｉ番目のグループの構成情報と前記ｉ番目の部分のシステム情報とに従って、前記現在の同期信号と前記システム情報との前記マッピング関係において、前記第１の同期信号及び前記第１のシステム情報を更新するステップ、
を含む、請求項５に記載の方法。
【請求項７】
前記第３のシステム情報は同期信号パラメータを含み、
第１の同期信号を受信する前記ステップは、
前記同期信号パラメータに従って、前記同期信号パラメータとマッチする前記第１の同期信号を受信するステップ、
を含む、請求項５に記載の方法。
【請求項８】
前記第１の同期信号の前記構成情報、前記第２の同期信号の前記構成情報及び／又は前記第２の同期信号の前記構成情報は、異なる同期順序、同期順序の異なるシフト、予め設定された同期順序の時間周波数位置、前記異なる同期順序と前記予め設定された同期順序の時間周波数位置、又は、前記同期順序の前記異なるシフトと前記予め設定された同期順序の時間周波数位置、を含む、
請求項１乃至７のいずれか一項に記載の方法。
【請求項９】
システム情報が変更されたときに、ブロードキャストされる同期信号の構成情報に変更処理を実行するステップと、
変更されたシステム情報と前記変更処理後に生成された第１の同期信号とをブロードキャストするステップであって、それによりＵＥが、前記第１の同期信号を受信した後、前記第１の同期信号の構成情報がシステム情報変更の指示として構成されているか否かを識別し、前記第１の同期信号の前記構成情報が前記システム情報変更の指示として構成されていると識別された場合、ブロードキャストされる前記変更されたシステム情報を受信し、前記第１の同期信号とブロードキャストされる前記変更されたシステム情報とに従って、現在の同期信号と前記システム情報とのマッピング関係を更新する、ステップと、
を含む、システム情報処理方法。
【請求項１０】
前記第１のシステム情報が第２の同期信号を含み、前記第２の同期信号の構成情報が予め設定されたブロードキャスト情報が開始されることの指示として構成され、それにより前記ＵＥが、ブロードキャストされる前記第１のシステム情報を受信した後、前記予め設定されたブロードキャスト情報を取得し、前記予め設定されたブロードキャスト情報を保存する、
請求項９に記載の方法。
【請求項１１】
第３の同期信号をブロードキャストするステップと、
第３のシステム情報をブロードキャストするステップであって、それにより前記ＵＥが、前記第３の同期信号及び前記第３のシステム情報を受信した後、前記現在の同期信号と前記システム情報との前記マッピング関係を確立する、ステップと、
を更に含む、請求項９又は１０に記載の方法。
【請求項１２】
ｉ番目のグループの構成情報がｉ番目の部分のシステム情報に対応し、且つ前記ｉ番目の部分のシステム情報が変更されるか否かを示すのに用いられるように、前記現在の同期信号と前記システム情報との前記マッピング関係中の同期信号の構成情報をＮ個のグループに分割し、前記同期信号に対応するシステム情報をＮ個のグループに分割するステップ、
を更に含み、
システム情報が変更されたときにブロードキャストされる同期信号の構成情報に変更処理を実行する前記ステップは、
前記システム情報のｉ番目の部分のシステム情報が変更されたとき、ブロードキャストされる前記同期信号のｉ番目のグループの構成情報に変更処理を実行するステップ、
を含み、
ｉとＮの両方は正の整数であり、ｉはＮ以下である、
請求項１１に記載の方法。
【請求項１３】
前記第３のシステム情報は同期信号パラメータを含み、それにより前記ＵＥは、前記同期信号パラメータに従って、前記同期信号パラメータとマッチする前記第１の同期信号を受信する、
請求項１１に記載の方法。
【請求項１４】
前記第１の同期信号の前記構成情報、前記第２の同期信号の前記構成情報及び／又は前記第３の同期信号の構成情報は、異なる同期順序、同期順序の異なるシフト、予め設定された同期順序の時間周波数位置、前記異なる同期順序と前記予め設定された同期順序の時間周波数位置、又は、前記同期順序の前記異なるシフトと前記予め設定された同期順序の時間周波数位置、を含む、
請求項９乃至１３のいずれか一項に記載の方法。
【請求項１５】
第１の同期信号を受信するように構成される受信モジュールと、
前記第１の同期信号の構成情報がシステム情報変更の指示として構成されているか否かを識別するように構成される識別モジュールと、
更新モジュールと、
を備えるシステム情報処理装置であって、
前記受信モジュールは更に、前記第１の同期信号の前記構成情報が前記システム情報変更の指示として構成されていると前記識別モジュールが識別した場合、ブロードキャストされるシステム情報を受信するように構成され、
前記更新モジュールは、前記第１の同期信号と受信された前記ブロードキャストされるシステム情報とに従って、現在の同期信号と前記システム情報とのマッピング関係を更新するように構成される、
システム情報処理装置。
【請求項１６】
前記識別モジュールは、具体的には、前記第１の同期信号の前記構成情報を、前記現在の同期信号と前記システム情報との前記マッピング関係中の同期信号の構成情報と比較するように構成され、前記第１の同期信号の前記構成情報が前記現在の同期信号と前記システム情報との前記マッピング関係中の前記同期信号の前記構成情報と異なる場合、前記受信モジュールはブロードキャストされる第１のシステム情報を受信し、
前記更新モジュールは、具体的には、前記同期信号と前記システム情報との前記マッピング関係に、前記第１の同期信号と前記第１のシステム情報とのマッピング関係を記憶するように構成される、
請求項１５に記載の装置。
【請求項１７】
前記第１のシステム情報が第２の同期信号を含み、且つ、前記第２の同期信号の構成情報が予め設定されたブロードキャスト情報が開始されることの指示として構成されている場合、前記受信モジュールは更に、前記予め設定されたブロードキャスト情報を取得するように構成され、
当該装置は更に、前記予め設定されたブロードキャスト情報を保存するように構成される保存モジュールを備える、
請求項１６に記載の装置。
【請求項１８】
前記受信モジュールは更に、第３の同期信号を受信するように構成され、
当該装置は更に、前記第３の同期信号を保存するように構成される保存モジュールを備え、
前記受信モジュールは更に、ブロードキャストされる第３のシステム情報を受信するように構成され、
前記保存モジュールは更に、前記第３の同期信号及び前記第３のシステム情報に従って、前記現在の同期信号と前記システム情報との前記マッピング関係を確立するように構成される、
請求項１５に記載の装置。
【請求項１９】
前記第３の同期信号がＮ個のグループの構成情報を含み、前記第３のシステム情報がＮ個の部分のシステム情報を含み、ｉ番目のグループの構成情報がｉ番目の部分のシステム情報に対応し且つ前記ｉ番目の部分のシステム情報が変更されるか否かを示すのに用いられるとき、前記識別モジュールは、具体的には、第１の同期信号がシステム情報変更の指示として構成されているか否かを識別するように構成され、前記第１の同期信号のｉ番目のグループの構成情報が前記第１のシステム情報のｉ番目の部分のシステム情報の変更の指示として構成されていると識別された場合、前記受信モジュールは、ブロードキャストされるシステム情報のｉ番目の部分を受信し、
前記更新モジュールは、具体的には、前記ｉ番目のグループの構成情報と前記ｉ番目の部分のシステム情報とに従って、前記現在の同期信号と前記システム情報との前記マッピング関係において、前記第１の同期信号及び前記第１のシステム情報を更新するように構成され、
ｉとＮの両方は正の整数であり、ｉはＮ以下である、
請求項１８に記載の装置。
【請求項２０】
前記第３のシステム情報は同期信号パラメータを含み、
前記受信モジュールは、具体的には、前記同期信号パラメータに従って、前記同期信号パラメータとマッチする前記第１の同期信号を受信するように構成される、
請求項１８に記載の装置。
【請求項２１】
システム情報が変更されたときに、ブロードキャストされる同期信号の構成情報に変更処理を実行するように構成される変更処理モジュールと、
変更されたシステム情報と前記変更処理後に生成された第１の同期信号とをブロードキャストするように構成されるブロードキャストモジュールであって、それによりＵＥが、前記第１の同期信号を受信した後、前記第１の同期信号の構成情報がシステム情報変更の指示として構成されているか否かを識別し、前記第１の同期信号が前記システム情報変更の指示として構成されていると識別された場合、ブロードキャストされた前記変更されたシステム情報を受信し、前記第１の同期信号とブロードキャストされる前記変更されたシステム情報とに従って、現在の同期信号と前記システム情報とのマッピング関係を更新する、ブロードキャストモジュールと、
を備えるシステム情報処理装置。
【請求項２２】
前記ブロードキャストモジュールは更に、前記第１のシステム情報をブロードキャストするように構成され、前記第１のシステム情報は第２の同期信号を含み、前記第２の同期信号の構成情報は予め設定されたブロードキャスト情報が開始されることの指示として構成され、それにより前記ＵＥは、ブロードキャストされる前記第１のシステム情報を受信した後、前記予め設定されたブロードキャスト情報を取得し、前記予め設定されたブロードキャスト情報を保存する、
請求項２１に記載の装置。
【請求項２３】
前記ブロードキャストモジュールは更に、第３の同期信号をブロードキャストし、且つ第３のシステム情報をブロードキャストするように構成され、それにより前記ＵＥは、前記第３の同期信号及び前記第３のシステム情報を受信した後、前記現在の同期信号と前記システム情報との前記マッピング関係を確立する、
請求項２１又は２２に記載の装置。
【請求項２４】
ｉ番目のグループの構成情報がｉ番目の部分のシステム情報に対応し、且つ前記ｉ番目の部分のシステム情報が変更されるか否かを示すのに用いられるように、前記現在の同期信号と前記システム情報との前記マッピング関係中の同期信号の構成情報をＮ個のグループに分割し、前記同期信号に対応するシステム情報をＮ個のグループに分割するように構成されるグループ化モジュール、を更に備え、
前記変更処理モジュールは、具体的には、前記システム情報のｉ番目の部分のシステム情報が変更されたとき、ブロードキャストされる前記同期信号のｉ番目のグループの構成情報に変更処理を実行するように構成され、
ｉとＮの両方は正の整数であり、ｉはＮ以下である、
請求項２３に記載の装置。
【請求項２５】
前記ブロードキャストモジュールによってブロードキャストされる前記第３のシステム情報は同期信号パラメータを含み、それにより前記ＵＥは、前記同期信号パラメータに従って、前記同期信号パラメータとマッチする前記第１の同期信号を受信する、
請求項２３に記載の装置。
【請求項２６】
ユーザーイクイップメント及びネットワーク側装置を備える通信システムであって、前記ユーザーイクイップメントは請求項１５乃至２０のいずれか一項に記載のシステム情報処理装置であり、前記ネットワーク側装置は請求項２１乃至２５のいずれか一項に記載のシステム情報処理装置である、通信システム。
【発明の詳細な説明】
【技術分野】
【０００１】
本発明の実施形態は通信技術の分野に関し、特に、システム情報の処理方法、装置及び通信システムに関する。
【背景技術】
【０００２】
ロング・ターム・エボリューション（Long  Term  Evolution，略してＬＴＥ）ネットワークでは、ネットワークにアクセスするために、ユーザーイクイップメント（User  Equipment，略してＵＥ）は、複数の種類のシステム情報ブロック（System  Information  Block，略してＳＩＢ）情報等の、複数の異なる種類のシステムメッセージを複数回受信する必要がある。このプロセスは比較的長い時間がかかり、アクセス情報も多い。ＳＩＢ情報の一部が変更された場合、全てのＵＥは、ＳＩＢ情報を再取得するよう適時に指示される必要がある。
【０００３】
現在、全てのＵＥにＳＩＢ情報を再取得するように指示するための主に使用される方法は、ＳＩＢ情報に５ビットのsystemlnfoValueTagを設定することである。systemlnfoValueTagは、ＳＩＢ情報が変化するかどうかを示すために用いられる。しかしながら、ＳＩＢ情報に設定される５ビットのsystemlnfoValueTagはＳＩＢ情報全体が受信された後にのみ取得することができるので、通知時間が比較的長という問題が生じ、したがって、ＵＥの消費電力が増大してしまう。
【発明の概要】
【０００４】
本発明の実施形態は、システム情報の処理方法、装置及び通信システムを提供する。これにより、システム情報が受信された後にのみシステム情報が変更されたことを知る必要がなく、ＵＥの消費電力が効果的に低減される。また、ＵＥは低消費電力の場合に迅速にシステム情報の変更を知ることができる。
【０００５】
第１の態様によれば、本発明の実施形態はシステム情報処理方法を提供する。本方法は、
第１の同期信号を受信するステップと、
第１の同期信号の構成情報がシステム情報変更の指示として構成されているか否かを識別し、第１の同期信号の構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新するステップと、
を含む。
【０００６】
第１の態様の第１の可能な実施方式では、第１の同期信号の構成情報がシステム情報変更の指示として構成されているか否かを識別し、第１の同期信号の構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新するステップは、
第１の同期信号の構成情報を、現在の同期信号とシステム情報とのマッピング関係中の同期信号の構成情報と比較するステップと、
第１の同期信号の構成情報が現在の同期信号とシステム情報とのマッピング関係中の同期信号の構成情報と異なる場合、ブロードキャストされる第１のシステム情報を受信し、同期信号とシステム情報とのマッピング関係に第１の同期信号と第１のシステム情報とのマッピング関係を記憶するステップと、
を含む。
【０００７】
第１の態様の第１の可能な実施方式に関して、第１の態様の第２の可能な実施方式では、第１のシステム情報が第２の同期信号を含み、且つ、第２の同期信号の構成情報が予め設定されたブロードキャスト情報が開始されることの指示として構成されている場合、予め設定されたブロードキャスト情報を取得し、予め設定されたブロードキャスト情報を保存する。
【０００８】
第１の態様に関して、第１の態様の第３の可能な実施方式では、第１の同期信号を受信するステップの前に、本方法は更に、
第３の同期信号を受信し保存するステップと、
ブロードキャストされる第３のシステム情報を受信し、第３の同期信号及び第３のシステム情報に従って、現在の同期信号とシステム情報とのマッピング関係を確立するステップと、
を含む。
【０００９】
第１の態様の第３の可能な実施方式に関して、第１の態様の第４の可能な実施方式では、第３の同期信号はＮ個のグループの構成情報を含み、第３のシステム情報はＮ個の部分のシステム情報を含む。ｉ番目のグループの構成情報はｉ番目の部分のシステム情報に対応し、且つ、ｉ番目の部分のシステム情報が変更されるか否かを示すのに用いられ、
ｉとＮの両方は正の整数であり、ｉはＮ以下である。
【００１０】
第１の態様第４の可能な実施方式に関して、第１の態様の第５の可能な実施方式では、第１の同期信号の構成情報がシステム情報変更の指示として構成されているか否かを識別し、第１の同期信号の構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新するステップは、
第１の同期信号の構成情報がシステム情報変更の指示として構成されているか否かを識別し、第１の同期信号のｉ番目のグループの構成情報が第１のシステム情報のｉ番目の部分のシステム情報の変更の指示として構成されていると識別された場合、ブロードキャストされるｉ番目の部分のシステム情報を受信し、ｉ番目のグループの構成情報とｉ番目の部分のシステム情報とに従って、現在の同期信号とシステム情報とのマッピング関係において、第１の同期信号及び第１のシステム情報を更新するステップ、
を含む。
【００１１】
第１の態様第４の可能な実施方式に関して、第１の態様の第６の可能な実施方式では、第３のシステム情報は同期信号パラメータを含み、
第１の同期信号を受信するステップは、
同期信号パラメータに従って、同期信号パラメータとマッチする第１の同期信号を受信するステップ、
を含む。
【００１２】
第１の態様又は第１の態様の第１〜第６の可能な実施方式のいずれか１つに関して、第１の態様の第７の可能な実施方式では、第１の同期信号の構成情報、第２の同期信号の構成情報及び／又は第２の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００１３】
第２の態様によれば、本発明の実施形態はシステム情報処理方法を提供する。本方法は、
システム情報が変更されたときに、ブロードキャストされる同期信号の構成情報に変更処理を実行するステップと、
変更されたシステム情報と変更処理後に生成された第１の同期信号とをブロードキャストするステップであって、それによりＵＥが、第１の同期信号を受信した後、第１の同期信号の構成情報がシステム情報変更の指示として構成されているか否かを識別し、第１の同期信号の構成情報がシステム情報変更の指示として構成されていると識別された場合、ブロードキャストされた変更されたシステム情報を受信し、第１の同期信号とブロードキャストされる変更されたシステム情報とに従って、現在の同期信号とシステム情報とのマッピング関係を更新する、ステップと、
を含む。
【００１４】
第２の態様の第１の可能な実施方式では、第１のシステム情報は第２の同期信号を含み、第２の同期信号の構成情報が予め設定されたブロードキャスト情報が開始されることの指示として構成され、それによりＵＥが、ブロードキャストされる第１のシステム情報を受信した後、予め設定されたブロードキャスト情報を取得し、該予め設定されたブロードキャスト情報を保存する。
【００１５】
第２の態様又は第２の態様の第１の可能な実施方式に関して、第２の態様の第２の可能な実施方式では、本方法は更に、
第３の同期信号をブロードキャストするステップと、
第３のシステム情報をブロードキャストするステップであって、それによりＵＥが、第３の同期信号及び第３のシステム情報を受信した後、現在の同期信号とシステム情報とのマッピング関係を確立する、ステップと、
を含む。
【００１６】
第２の態様の第２の可能な実施方式に関して、第２の態様の第３の可能な実施方式では、本方法は更に、
ｉ番目のグループの構成情報がｉ番目の部分のシステム情報に対応し、且つｉ番目の部分のシステム情報が変更されるか否かを示すのに用いられるように、現在の同期信号とシステム情報とのマッピング関係中の同期信号の構成情報をＮ個のグループに分割し、同期信号に対応するシステム情報をＮ個のグループに分割するステップ、
を含み、
システム情報が変更されたときに、ブロードキャストされる同期信号の構成情報に変更処理を実行するステップは、
システム情報のｉ番目の部分のシステム情報が変更されたとき、ブロードキャストされる同期信号のｉ番目のグループの構成情報に変更処理を実行するステップ、
を含み、
ｉとＮの両方は正の整数であり、ｉはＮ以下である。
【００１７】
第２の態様の第２の可能な実施方式に関して、第２の態様の第４の可能な実施方式では、第３のシステム情報は同期信号パラメータを含み、それによりＵＥが、同期信号パラメータに従って、同期信号パラメータとマッチする第１の同期信号を受信する。
【００１８】
第２の態様又は第２の態様の第１〜第４の可能な実施方式のいずれか１つに関して、第２の態様の第５の可能な実施方式では、第１の同期信号の構成情報、第２の同期信号の構成情報及び／又は第３の同期信号の構成情報は、異なる同期順序、同期順序の異なるシフト、予め設定された同期順序の時間周波数位置、異なる同期順序と予め設定された同期順序の時間周波数位置、又は、同期順序の異なるシフト予め設定された同期順序の時間周波数位置、を含む。
【００１９】
第３の態様によれば、本発明の実施形態はシステム情報処理装置を提供する。本装置は、
第１の同期信号を受信するように構成される受信モジュールと、
第１の同期信号の構成情報がシステム情報変更の指示として構成されているか否かを識別するように構成される識別モジュールと、
更新モジュールと、
を備え、
受信モジュールは更に、第１の同期信号の構成情報がシステム情報変更の指示として構成されていると識別モジュールが識別した場合、ブロードキャストされるシステム情報を受信するように構成され、
更新モジュールは、第１の同期信号と受信されたブロードキャストされるシステム情報とに従って、現在の同期信号とシステム情報とのマッピング関係を更新するように構成される。
【００２０】
第３の態様の第１の可能な実施方式では、識別モジュールは、具体的には、第１の同期信号の構成情報を、現在の同期信号とシステム情報とのマッピング関係中の同期信号の構成情報と比較するように構成され、第１の同期信号の構成情報が現在の同期信号とシステム情報とのマッピング関係中の同期信号の構成情報と異なる場合、受信モジュールはブロードキャストされた第１のシステム情報を受信し、
更新モジュールは、具体的には、同期信号とシステム情報とのマッピング関係に、第１の同期信号と第１のシステム情報とのマッピング関係を記憶するように構成される。
【００２１】
第３の態様の第１の可能な実施方式に関して、第３の態様の第２の可能な実施方式では、第１のシステム情報が第２の同期信号を含み、且つ第２の同期信号の構成情報が予め設定されたブロードキャスト情報が開始されることの指示として構成されている場合、受信モジュールは更に、予め設定されたブロードキャスト情報を取得するように構成され、
本装置は更に、該予め設定されたブロードキャスト情報を保存するように構成される保存モジュールを備える。
【００２２】
第３の態様に関して、第３の態様の第３の可能な実施方式では、受信モジュールは更に、第３の同期信号を受信するように構成され、
本装置は更に、第３の同期信号を保存するように構成される保存モジュールを備え、
受信モジュールは更に、ブロードキャストされる第３のシステム情報を受信するように構成され、
保存モジュールは更に、第３の同期信号及び第３のシステム情報に従って、現在の同期信号とシステム情報とのマッピング関係を確立するように構成される。
【００２３】
第３の態様の第３の可能な実施方式に関して、第３の態様の第４の可能な実施方式では、第３の同期信号がＮ個のグループの構成情報を含み、第３のシステム情報がＮ個の部分のシステム情報を含み、ｉ番目のグループの構成情報はｉ番目の部分のシステム情報に対応し、且つｉ番目の部分のシステム情報が変更されるか否かを示すのに用いられるとき、識別モジュールは、具体的には、第１の同期信号がシステム情報変更の指示として構成されているか否かを識別するように構成され、第１の同期信号のｉ番目のグループの構成情報が第１のシステム情報のｉ番目の部分のシステム情報の変更の指示として構成されていると識別された場合、受信モジュールは、ブロードキャストされるｉ番目の部分のシステム情報を受信し、
更新モジュールは、具体的には、ｉ番目のグループの構成情報とｉ番目の部分のシステム情報とに従って、現在の同期信号とシステム情報とのマッピング関係において、第１の同期信号及び第１のシステム情報を更新するように構成され、
ｉとＮの両方は正の整数であり、ｉはＮ以下である。
【００２４】
第３の態様の第３の可能な実施方式に関して、第３の態様の第５の可能な実施方式では、第３のシステム情報は同期信号パラメータを含み、
受信モジュールは、具体的には、同期信号パラメータに従って、同期信号パラメータとマッチする第１の同期信号を受信するように構成される。
【００２５】
第４の態様によれば、本発明の実施形態はシステム情報処理装置を提供する。本装置は、
システム情報が変更されたときに、ブロードキャストされる同期信号の構成情報に変更処理を実行するように構成される変更処理モジュールと、
変更されたシステム情報と変更処理後に生成された第１の同期信号とをブロードキャストするように構成されるブロードキャストモジュールであって、それによりＵＥが、第１の同期信号を受信した後、第１の同期信号の構成情報がシステム情報変更の指示として構成されているか否かを識別し、第１の同期信号がシステム情報変更の指示として構成されていると識別された場合、ブロードキャストされた上記変更されたシステム情報を受信し、第１の同期信号とブロードキャストされる変更されたシステム情報とに従って、現在の同期信号とシステム情報とのマッピング関係を更新する、ブロードキャストモジュールと、
を備える。
【００２６】
第４の態様の第１の可能な実施方式では、ブロードキャストモジュールは更に、第１のシステム情報をブロードキャストするように構成される。第１のシステム情報は第２の同期信号を含み、第２の同期信号の構成情報が予め設定されたブロードキャスト情報が開始されることの指示として構成されている。それによりＵＥは、ブロードキャストされる第１のシステム情報を受信した後、予め設定されたブロードキャスト情報を取得し、該予め設定されたブロードキャスト情報を保存する。
【００２７】
第４の態様又は第４の態様の第１の可能な実施方式に関して、第４の態様の第２の可能な実施方式では、ブロードキャストモジュールは更に、第３の同期信号をブロードキャストし、第３のシステム情報をブロードキャストするように構成され、それによりＵＥは、第３の同期信号及び第３のシステム情報を受信した後、現在の同期信号とシステム情報とのマッピング関係を確立する。
【００２８】
第４の態様の第２の可能な実施方式に関して、第４の態様の第３の可能な実施方式では、本装置は、
ｉ番目のグループの構成情報がｉ番目の部分のシステム情報に対応し、且つｉ番目の部分のシステム情報が変更されるか否かを示すのに用いられるように、現在の同期信号とシステム情報とのマッピング関係中の同期信号の構成情報をＮ個のグループに分割し、同期信号に対応するシステム情報をＮ個のグループに分割するように構成されるグループ化モジュール、を更に備え、
変更処理モジュールは、具体的には、システム情報のｉ番目の部分のシステム情報が変更されたとき、ブロードキャストされる同期信号のｉ番目のグループの構成情報に変更処理を実行するように構成され、
ｉとＮの両方は正の整数であり、ｉはＮ以下である。
【００２９】
第４の態様の第２の可能な実施方式に関して、第４の態様の第４の可能な実施方式では、ブロードキャストモジュールによってブロードキャストされる第３のシステム情報は同期信号パラメータを含み、それによりＵＥは、同期信号パラメータに従って、同期信号パラメータとマッチする第１の同期信号を受信する。
【００３０】
第５の態様によれば、本発明の実施形態は通信システムを提供する。本システムは、ユーザーイクイップメント及びネットワーク側装置を備える。ユーザーイクイップメントは上記第３の態様に係るシステム情報処理装置であり、ネットワーク側装置は上記第４の態様に係るシステム情報処理装置である。
【００３１】
本発明の実施形態におけるシステム情報処理方法、装置及び通信システムによれば、第１の同期信号が受信され、第１の同期信号の構成情報がシステム情報変更の指示として構成されていると識別された場合、ブロードキャストされるシステム情報が受信され、第１の同期信号と受信されたブロードキャストされるシステム情報とに従って、現在の同期信号とシステム情報とのマッピング関係が更新される。従来技術において、ＳＩＢ情報中に構成される５ビットのsystemlnfoValueTagにより通知時間が比較的長くなり、ＵＥの電力消費が増大することに比べて、本発明では、システム情報が受信された後にのみシステム情報が変更されたことを知る必要がなく、ＵＥの消費電力が効果的に低減される。また、ＵＥは低消費電力の場合に迅速にシステム情報の変更を知ることができる。
【図面の簡単な説明】
【００３２】
本発明の実施形態又は従来技術の技術的解決策をより明確に説明するために、以下、実施形態又は従来技術の説明に必要な添付の図面を簡単に紹介する。当然ながら、添付の図面は以下の説明において本発明の一部の実施形態を示すに過ぎない。当業者であれば、これらの添付の図面から創意工夫なく、他の図面を更に導出できるであろう。
【００３３】
【図１】本発明に係るシステム情報処理方法の実施形態のフローチャートである。
【図２】本発明に係るシステム情報処理方法の別の実施形態のフローチャートである。
【図３】本発明に係るシステム情報処理方法の更に別の実施形態のフローチャートである。
【図４】本発明に係るシステム情報処理方法の更に別の実施形態のフローチャートである。
【図５】本発明に係るシステム情報処理装置の実施形態の概略構造図である。
【図６】本発明に係るシステム情報処理装置の別の実施形態の概略構造図である。
【図７】本発明に係るシステム情報処理装置の更に別の実施形態の概略構造図である。
【発明を実施するための形態】
【００３４】
本発明の実施形態の目的、技術的解決策及び利点をより明確に説明するために、以下、本発明の実施形態において添付の図面を参照しながら、本発明の実施形態の技術的解決策を明確且つ完全に説明する。当然ながら、説明される実施形態は本発明の実施形態の一部であって、全部ではない。当業者が本発明の実施形態に基づいて創意工夫なく得た他の実施形態は全て、本発明の保護範囲に包含されるものとする。
【００３５】
図１は、本発明に係るシステム情報処理方法の実施形態のフローチャートである。図１に示されるように、本実施形態はユーザーイクイップメントによって実行される。本方法は以下の要素を含んでよい。
【００３６】
ステップ１０１：第１の同期信号を受信する。
【００３７】
ステップ１０２：第１の同期信号の構成情報がシステム情報変更の指示として構成されているか否かを識別する。第１の同期信号が構成する構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新する。
【００３８】
本実施形態では、ＵＥがネットワークに再アクセスするとき、ＵＥはまずネットワーク側装置によってブロードキャストされる第１の同期信号を受信する。第１の同期信号は、システム情報が変更されたか否かを示すのに用いられる。
【００３９】
更に、本実施形態では、任意に、第１の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００４０】
本実施形態では、留意すべきこととして、第１の同期信号がシステム情報変更の指示として構成されていない場合、現在の同期信号とシステム情報とのマッピング関係についてクエリが行われ、第１の同期信号に対応するシステム情報が取得され、システム情報に従ってネットワークがアクセスされる。
【００４１】
本実施形態では、第１の同期信号が受信され、第１の同期信号の構成情報がシステム情報変更の指示として構成されていると識別された場合、ブロードキャストされるシステム情報が受信され、第１の同期信号と受信されたブロードキャストされるシステム情報とに従って、現在の同期信号とシステム情報とのマッピング関係が更新される。従来技術において、ＳＩＢ情報中に構成される５ビットのsystemlnfoValueTagにより通知時間が比較的長くなり、ＵＥの電力消費が増大することに比べて、本発明では、システム情報が受信された後にのみシステム情報が変更されたことを知る必要がなくなり、ＵＥの消費電力が効果的に低減される。また、ＵＥは低消費電力の場合に迅速にシステム情報の変更を知ることができる。
【００４２】
図２は、本発明に係るシステム情報処理方法の別の実施形態のフローチャートである。図２に示されるように、本実施形態はユーザーイクイップメントによって実行される。本方法は以下の要素を含んでよい。
【００４３】
ステップ２０１：第３の同期信号を受信し保存する。
【００４４】
ステップ２０２：ブロードキャストされた第３のシステム情報を受信し、第３の同期信号及び第３のシステム情報に従って、現在の同期信号とシステム情報とのマッピング関係を確立する。
【００４５】
本実施形態では、ＵＥが最初にネットワークにアクセスするとき、ＵＥはまず、ネットワーク側装置との同期を実施するために、ネットワーク側装置によってブロードキャストされる第３の同期信号を受信し、第３の同期信号を保存してよい。それから、ＵＥは、ネットワーク側によってブロードキャストされる第３のシステム情報を受信し、第３の同期信号及び第３のシステム情報に従って、現在の同期信号とシステム情報とのマッピング関係を確立する。
【００４６】
更に、本実施形態では、任意に、第３の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００４７】
ステップ２０３：第１の同期信号を受信する。
【００４８】
ステップ２０４：第１の同期信号の構成情報を、現在の同期信号とシステム情報とのマッピング関係中の同期信号の構成情報と比較する。
【００４９】
ステップ２０５：第１の同期信号が現在の同期信号とシステム情報とのマッピング関係中の同期信号の構成情報と異なる場合、ブロードキャストされる第１のシステム情報を受信し、同期信号とシステム情報とのマッピング関係に第１の同期信号と第１のシステム情報とのマッピング関係を記憶する。
【００５０】
ステップ２０６：第１のシステム情報が第２の同期信号を含み、第２の同期信号が予め設定されたブロードキャスト情報の開始を指示するのに用いられる同期信号である場合、予め設定されたブロードキャスト情報を取得し、該予め設定されたブロードキャスト情報を保存する。
【００５１】
本実施形態では、任意に、第２の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００５２】
図３は、本発明に係るシステム情報処理方法の更に別の実施形態のフローチャートである。図３に示されるように、本実施形態はユーザーイクイップメントによって実行される。本方法は以下の要素を含んでよい。
【００５３】
ステップ３０１：第３の同期信号を受信し保存する。
【００５４】
ステップ３０２：ブロードキャストされた第３のシステム情報を受信し、第３の同期信号及び第３のシステム情報に従って、現在の同期信号とシステム情報とのマッピング関係を確立する。
【００５５】
本実施形態では、ＵＥが最初にネットワークにアクセスするとき、ＵＥはまず、ネットワーク側装置との同期を実現するために、ネットワーク側装置によってブロードキャストされる第２の同期信号を受信し、第３の同期信号を保存してよい。それから、ＵＥはネットワーク側によってブロードキャストされる第３のシステム情報を受信し、第３の同期信号及び第３のシステム情報に従って、現在の同期信号とシステム情報とのマッピング関係を確立する。
【００５６】
更に、本実施形態では、任意に、第３の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００５７】
更に留意すべきこととして、第３の同期信号はＮ個のグループの構成情報を含み、第３のシステム情報はＮ個の部分のシステム情報を含み、ｉ番目のグループの構成情報はｉ番目の部分のシステム情報に対応し、且つｉ番目の部分のシステム情報が変更されるか否かを示すのに用いられる。ｉとＮの両方は正の整数であり、ｉはＮ以下である。
【００５８】
ステップ３０３：第１の同期信号を受信する。
【００５９】
本実施形態では、任意に、ネットワーク側装置は、同期信号を異なるシステム情報の変更の指示として予め構成してよい。例えば、第１の同期信号は、第１のシステム情報の変更の指示として構成されてよく、或いは第２のシステム情報の変更の指示として構成されてよく、或いは他のシステム情報の変更の指示として構成されてよい。
【００６０】
ステップ３０４：第１の同期信号がシステム情報変更の指示として構成されているか否かを識別し、第１の同期信号のｉ番目のグループの構成情報が第１のシステム情報のｉ番目の部分のシステム情報の変更の指示として構成されていると識別された場合、ブロードキャストされるｉ番目の部分のシステム情報を受信し、ｉ番目のグループの構成情報とｉ番目の部分のシステム情報とに従って、現在の同期信号とシステム情報とのマッピング関係において、第１の同期信号及び第１のシステム情報を更新する。
【００６１】
本実施形態では、例えば、第１の構成情報が第１のシステム情報の第１の部分のシステム情報の変更の指示として構成されているとき、第１のシステム情報の第１の部分のシステム情報のみが受信される。第５の構成情報が第１のシステム情報の第５の部分のシステム情報の変更の指示として構成されているとき、第５の部分のシステム情報のみが受信される。よって、ユーザーイクイップメントのアクセス性能が効果的に改善される。
【００６２】
更に、本発明の更に別の実施形態では、図２と図３に示される実施形態のいずれか１つに基づき、第３のシステム情報は同期信号パラメータを含む。第１の同期信号を受信するステップの具体的な実施方式は、
同期信号パラメータに従って、同期信号パラメータとマッチする第１の同期信号を受信するステップ、
である。
【００６３】
本実施形態では、同期信号パラメータは、現在のセルで使用可能な同期信号を示すのに用いられてよい。ユーザーイクイップメントがネットワークに再アクセスするとき、ユーザーイクイップメントは、記憶された同期信号パラメータに従って同期信号を受信することができる。
【００６４】
図４は、本発明に係るシステム情報処理方法の更に別の実施形態のフローチャートである。図４に示されるように、本実施形態はネットワーク側装置によって実行される。本方法は以下の要素を含む。
【００６５】
ステップ４０１：システム情報が変更されたときに、ブロードキャストされる同期信号の構成情報に変更処理を実行する。
【００６６】
ステップ４０２：変更されたシステム情報と変更処理後に生成された第１の同期信号とをブロードキャストする。それによりＵＥは、第１の同期信号を受信した後、第１の同期信号の構成情報がシステム情報変更の指示として構成されているか否かを識別し、第１の同期信号の構成情報がシステム情報変更の指示として構成されていると識別された場合、ブロードキャストされた上記システム情報を受信し、第１の同期信号とブロードキャストされる変更されたシステム情報とに従って、現在の同期信号とシステム情報とのマッピング関係を更新する。
【００６７】
本実施形態のＵＥは、図１〜図３に示される方法実施形態のいずれか１つの技術的解決策を実行してよい。その実施原理は同様であり、ここでは詳細の説明を繰り返さない。
【００６８】
本実施形態では、システム情報が変更されたときに、ブロードキャストされる同期信号の構成情報に変更処理が実行され、変更されたシステム情報と変更処理後に生成された第１の同期信号とがブロードキャストされる。それによりＵＥは、第１の同期信号を受信した後、第１の同期信号の構成情報がシステム情報変更の指示として構成されているか否かを識別し、第１の同期信号の構成情報がシステム情報変更の指示として構成されていると識別された場合、ブロードキャストされた上記システム情報を受信し、第１の同期信号とブロードキャストされる変更されたシステム情報とに従って、現在の同期信号とシステム情報とのマッピング関係を更新する。従来技術において、ＳＩＢ情報中に構成される５ビットのsystemlnfoValueTagにより通知時間が比較的長くなり、ＵＥの電力消費が増大することに比べて、本発明では、システム情報が受信された後にのみシステム情報が変更されたことを知る必要がなくなり、ＵＥの消費電力が効果的に低減される。また、ＵＥは低消費電力の場合に迅速にシステム情報の変更を知ることができる。
【００６９】
更に、本発明の別の実施形態では、図４に示される実施形態に基づき、第１のシステム情報は第２の同期信号を含み、且つ第２の同期信号の構成情報が予め設定されたブロードキャスト情報が開始されることの指示として構成されている。それによりＵＥは、ブロードキャストされる第１のシステム情報を受信した後、予め設定されたブロードキャスト情報を取得し、該予め設定されたブロードキャスト情報を保存する。
【００７０】
任意に、ステップ４０１の前に、本方法は更に、
第３の同期信号をブロードキャストするステップと、
第３のシステム情報をブロードキャストするステップであって、それによりＵＥが、第３の同期信号及び第３のシステム情報を受信した後、現在の同期信号とシステム情報とのマッピング関係を確立する、ステップと、
を含んでよい。
【００７１】
任意に、本方法は更に、
ｉ番目のグループの構成情報がｉ番目の部分のシステム情報に対応し、ｉ番目の部分のシステム情報が変更されるか否かを示すのに用いられるように、現在の同期信号とシステム情報とのマッピング関係中の同期信号の構成情報をＮ個のグループに分割し、同期信号に対応するシステム情報をＮ個のグループに分割するステップ、
を含んでよい。
ステップ４０１は、具体的には以下のとおりである。すなわち、システム情報のｉ番目の部分のシステム情報が変更されたとき、ブロードキャストされる同期信号のｉ番目のグループの構成情報に変更処理を実行する。ｉとＮの両方は正の整数であり、ｉはＮ以下である。
【００７２】
任意に、第３のシステム情報は同期信号パラメータを含み、それによりＵＥは、同期信号パラメータに従って、同期信号パラメータとマッチする第１の同期信号を受信する。
【００７３】
任意に、第１の同期信号の構成情報、第２の同期信号の構成情報及び／又は第３の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【００７４】
当業者であれば、方法実施形態のステップの全部又は一部が関連ハードウェアに命令するプログラムによって実現されてよいことが理解できるであろう。プログラムは、コンピューターによって取得可能な記憶媒体に記憶されてよい。プログラムが実行されると、方法実施形態のステップが実行される。上記記憶媒体は、ＲＯＭ、ＲＡＭ、磁気ディスク、光ディスク等の、プログラムコードを記憶可能な任意の媒体を含む。
【００７５】
図５は、本発明に係るシステム情報処理装置の実施形態の概略構造図である。図５に示されるように、本実施形態の装置は、受信モジュール１１、識別モジュール１２及び更新モジュール１３を備える。受信モジュール１１は、第１の同期信号を受信するように構成される。識別モジュール１２は、第１の同期信号の構成情報がシステム情報変更の指示として構成されているか否かを識別するように構成される。受信モジュール１１は更に、第１の同期信号の構成情報がシステム情報変更の指示として構成されていると識別モジュール１２が識別した場合、ブロードキャストされるシステム情報を受信するように構成される。更新モジュール１３は、第１の同期信号と受信されたブロードキャストされるシステム情報とに従って、現在の同期信号とシステム情報とのマッピング関係を更新するように構成される。
【００７６】
本実施形態のシステム情報処理装置は、図１に示される方法実施形態の技術的解決策を実行してよい。その実施原理及び技術的効果は同様であり、ここでは詳細の説明を繰り返さない。
【００７７】
図６は、本発明に係るシステム情報処理装置の別の実施形態の概略構造図である。図５に示される実施形態に基づき、図６に示されるように、識別モジュール１２は、具体的には、第１の同期信号の構成情報を、現在の同期信号とシステム情報とのマッピング関係中の同期信号の構成情報と比較するように構成される。第１の同期信号の構成情報が現在の同期信号とシステム情報とのマッピング関係中の同期信号の構成情報と異なる場合、受信モジュール１１は、ブロードキャストされる第１のシステム情報を受信する。更新モジュール１３は、具体的には、同期信号とシステム情報とのマッピング関係に、第１の同期信号と第１のシステム情報とのマッピング関係を記憶するように構成される。
【００７８】
任意に、第１のシステム情報が第２の同期信号を含み、第２の同期信号の構成情報が予め設定されたブロードキャスト情報が開始されることの指示として構成されている場合、受信モジュール１１は更に、予め設定されたブロードキャスト情報を取得するように構成される。本装置は更に、該予め設定されたブロードキャスト情報を保存するように構成される保存モジュール１４を備える。
【００７９】
更に、本発明の更に別の実施形態では、図５に示される実施形態に基づき、受信モジュール１１は更に、第３の同期信号を受信するように構成され、本装置は、第３の同期信号を保存するように構成される保存モジュールを更に備える。受信モジュール１１は更に、ブロードキャストされる第３のシステム情報を受信するように構成され、保存モジュールは更に、第３の同期信号及び第３のシステム情報に従って、現在の同期信号とシステム情報とのマッピング関係を確立するように構成される。
【００８０】
任意に、第３の同期信号がＮ個のグループの構成情報を含み、第３のシステム情報がＮ個の部分のシステム情報を含み、ｉ番目のグループの構成情報はｉ番目の部分のシステム情報に対応し、且つｉ番目の部分のシステム情報が変更されるか否かを示すのに用いられるとき、識別モジュール１２は、具体的には、第１の同期信号がシステム情報変更の指示として構成されているか否かを識別するように構成される。第１の同期信号のｉ番目のグループの構成情報が第１のシステム情報のｉ番目の部分のシステム情報の変更の指示として構成されていると識別された場合、受信モジュールは、ブロードキャストされるｉ番目の部分のシステム情報を受信する。更新モジュール１３は、ｉ番目のグループの構成情報とｉ番目の部分のシステム情報とに従って、具体的には、現在の同期信号とシステム情報とのマッピング関係において、第１の同期信号及び第１のシステム情報を更新するように構成される。ｉとＮの両方は正の整数であり、ｉはＮ以下である。
【００８１】
任意に、第３のシステム情報は同期信号パラメータを含む。受信モジュール１１は、具体的には、同期信号パラメータに従って、同期信号パラメータとマッチする第１の同期信号を受信するように構成される。
【００８２】
図７は、本発明に係るシステム情報処理装置の更に別の実施形態の概略構造図である。図７に示されるように、本実施形態の装置は、変更処理モジュール２１及びブロードキャストモジュール２２を備える。変更処理モジュール２１は、システム情報が変更されたときに、ブロードキャストされる同期信号の構成情報に変更処理を実行するように構成される。ブロードキャストモジュール２２は、変更されたシステム情報と変更処理後に生成された第１の同期信号とをブロードキャストするように構成される。それによりＵＥは、第１の同期信号を受信した後、第１の同期信号の構成情報がシステム情報変更の指示として構成されているか否かを識別し、第１の同期信号の構成情報がシステム情報変更の指示として構成されていると識別された場合、ブロードキャストされた上記システム情報を受信し、第１の同期信号とブロードキャストされる変更されたシステム情報とに従って、現在の同期信号とシステム情報とのマッピング関係を更新する。
【００８３】
本実施形態のシステム情報処理装置は、図４に示される方法実施形態の技術的解決策を実行してよい。その実施原理及び技術的効果は同様であり、ここでは詳細の説明を繰り返さない。
【００８４】
更に、本発明の更に別の実施形態では、図７に示される実施形態に基づき、ブロードキャストモジュール２２は更に、第１のシステム情報をブロードキャストするように構成される。第１のシステム情報は第２の同期信号を含み、第２の同期信号の構成情報が予め設定されたブロードキャスト情報が開始されることの指示として構成されている。それによりＵＥは、ブロードキャストされる第１のシステム情報を受信した後、予め設定されたブロードキャスト情報を取得し、該予め設定されたブロードキャスト情報を保存する。
【００８５】
任意に、ブロードキャストモジュール２２は更に、第３の同期信号をブロードキャストし、第３のシステム情報をブロードキャストするように構成される。それによりＵＥは、第３の同期信号及び第３のシステム情報を受信した後、現在の同期信号とシステム情報とのマッピング関係を確立する。
【００８６】
任意に、本装置は更に、ｉ番目のグループの構成情報がｉ番目の部分のシステム情報に対応し、且つｉ番目の部分のシステム情報が変更されるか否かを示すのに用いられるように、現在の同期信号とシステム情報とのマッピング関係中の同期信号の構成情報をＮ個のグループに分割し、同期信号に対応するシステム情報をＮ個のグループに分割するように構成されるグループ化モジュールを備える。変更処理モジュール２１は、具体的には、システム情報のｉ番目の部分のシステム情報が変更されたとき、ブロードキャストされる同期信号のｉ番目のグループの構成情報に変更処理を実行するように構成される。ｉとＮの両方は正の整数であり、ｉはＮ以下である。
【００８７】
任意に、ブロードキャストモジュールによってブロードキャストされる第３のシステム情報２２は同期信号パラメータを含み、それによりＵＥは、同期信号パラメータに従って、同期信号パラメータとマッチする第１の同期信号を受信する。
【００８８】
本発明は更に、ユーザーイクイップメント及びネットワーク側装置を備える通信システムを提供する。ユーザーイクイップメントは図５又は図６に示されるシステム情報処理装置であってよく、図１〜図３に示される方法実施形態のいずれか１つを実施することができる。ネットワーク側装置は図７に示されるシステム情報処理装置であってよく、図４に示される方法実施形態を実行することができる。その実施原理は同様であり、ここでは詳細の説明を繰り返さない。
【００８９】
最後に、留意すべきこととして、上記実施形態は、本発明の技術的解決策を説明するためのものに過ぎず、本発明を限定するためのものではない。上記実施形態を参照して本発明を詳細に説明したが、当業者であれば、本発明の実施形態の技術的解決策の範囲から逸脱することなく、更に上記実施形態に記載された技術的解決策への変更を行うか、それらの一部又は全ての技術的特徴に均等置換を行うことができることが理解できるであろう。
【図１】
2017503419.tif 000003
【図２】
2017503419.tif 000004
【図３】
2017503419.tif 000005
【図４】
2017503419.tif 000006
【図５】
2017503419.tif 000007
【図６】
2017503419.tif 000008
【図７】
2017503419.tif 000009
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
第１の同期信号を受信するステップと、
前記第１の同期信号の構成情報がシステム情報変更の指示として構成されているか否かを識別し、前記第１の同期信号の前記構成情報が前記システム情報変更の指示として構成されていると識別された場合、ブロードキャストされるシステム情報を受信し、前記第１の同期信号と受信された前記ブロードキャストされるシステム情報とに従って、現在の同期信号と前記システム情報とのマッピング関係を更新するステップと、
を含む、システム情報処理方法。
【請求項２】
前記第１の同期信号の構成情報がシステム情報変更の指示として構成されているか否かを識別し、前記第１の同期信号の前記構成情報が前記システム情報変更の指示として構成されていると識別された場合、ブロードキャストされるシステム情報を受信し、前記第１の同期信号と受信された前記ブロードキャストされるシステム情報とに従って、現在の同期信号と前記システム情報とのマッピング関係を更新する前記ステップは、
前記第１の同期信号の前記構成情報を、前記現在の同期信号と前記システム情報との前記マッピング関係中の前記同期信号の構成情報と比較するステップと、
前記第１の同期信号の前記構成情報が前記現在の同期信号と前記システム情報との前記マッピング関係中の前記同期信号の前記構成情報と異なる場合、ブロードキャストされる第１のシステム情報を受信し、前記同期信号と前記システム情報との前記マッピング関係に前記第１の同期信号と前記第１のシステム情報とのマッピング関係を記憶するステップと、
を含む、請求項１に記載の方法。
【請求項３】
前記第１のシステム情報が第２の同期信号を含み、且つ、前記第２の同期信号の構成情報が予め設定されたブロードキャスト情報が開始されることの指示として構成されている場合、前記予め設定されたブロードキャスト情報を取得し、前記予め設定されたブロードキャスト情報を保存するステップ、
を含む、請求項２に記載の方法。
【請求項４】
第１の同期信号を受信する前記ステップの前に、
第３の同期信号を受信し保存するステップと、
ブロードキャストされる第３のシステム情報を受信し、前記第３の同期信号及び前記第３のシステム情報に従って、前記現在の同期信号と前記システム情報との前記マッピング関係を確立するステップと、
を更に含む、請求項１に記載の方法。
【請求項５】
前記第３の同期信号はＮ個のグループの構成情報を含み、前記第３のシステム情報はＮ個の部分のシステム情報を含み、ｉ番目のグループの構成情報はｉ番目の部分のシステム情報に対応し、且つ、前記ｉ番目の部分のシステム情報が変更されるか否かを示すのに用いられ、
ｉとＮの両方は正の整数であり、ｉはＮ以下である、
請求項４に記載の方法。
【請求項６】
前記第１の同期信号の前記構成情報、前記第２の同期信号の前記構成情報及び／又は前記第３の同期信号の構成情報は、異なる同期順序、同期順序の異なるシフト、予め設定された同期順序の時間周波数位置、異なる同期順序と予め設定された同期順序の時間周波数位置、又は、前記同期順序の異なるシフトと前記予め設定された同期順序の時間周波数位置、を含む、
請求項１に記載の方法。
【請求項７】
システム情報が変更されたときに、ブロードキャストされる同期信号の構成情報に変更処理を実行するステップと、
変更された第１のシステム情報と前記変更処理後に生成された第１の同期信号とを、ＵＥに、前記第１の同期信号を受信した後、前記第１の同期信号の構成情報が前記第１のシステム情報の変更の指示として構成されているか否かを識別し、前記第１の同期信号の前記構成情報が前記第１のシステム情報の変更の前記指示として構成されていると識別された場合、ブロードキャストされる前記変更された第１のシステム情報を受信し、前記第１の同期信号とブロードキャストされる前記変更された第１のシステム情報とに従って、現在の同期信号と前記システム情報とのマッピング関係を更新するために、ブロードキャストするステップと、
を含む、システム情報処理方法。
【請求項８】
前記第１のシステム情報が第２の同期信号を含み、前記第２の同期信号の構成情報が予め設定されたブロードキャスト情報が開始されることの指示として構成され、それにより前記ＵＥが、ブロードキャストされる前記第１のシステム情報を受信した後、前記予め設定されたブロードキャスト情報を取得し、前記予め設定されたブロードキャスト情報を保存する、
請求項９に記載の方法。
【請求項９】
第３の同期信号をブロードキャストするステップと、
第３のシステム情報をブロードキャストするステップであって、それにより前記ＵＥが、前記第３の同期信号及び前記第３のシステム情報を受信した後、前記現在の同期信号と前記システム情報との前記マッピング関係を確立する、ステップと、
を更に含む、請求項８に記載の方法。
【請求項１０】
ｉ番目のグループの構成情報がｉ番目の部分のシステム情報に対応し、且つ前記ｉ番目の部分のシステム情報が変更されるか否かを示すのに用いられるように、前記現在の同期信号と前記システム情報との前記マッピング関係中の同期信号の構成情報をＮ個のグループに分割し、前記同期信号に対応するシステム情報をＮ個のグループに分割するステップ、
を更に含み、
システム情報が変更されたときにブロードキャストされる同期信号の構成情報に変更処理を実行する前記ステップは、
前記システム情報のｉ番目の部分のシステム情報が変更されたとき、ブロードキャストされる前記同期信号のｉ番目のグループの構成情報に変更処理を実行するステップ、
を含み、
ｉとＮの両方は正の整数であり、ｉはＮ以下である、
請求項９に記載の方法。
【請求項１１】
前記第３のシステム情報は同期信号パラメータを含み、それにより前記ＵＥは、前記同期信号パラメータに従って、前記同期信号パラメータとマッチする前記第１の同期信号を受信する、
請求項９に記載の方法。
【請求項１２】
前記第１の同期信号の前記構成情報、前記第２の同期信号の前記構成情報及び／又は前記第３の同期信号の構成情報は、異なる同期順序、同期順序の異なるシフト、予め設定された同期順序の時間周波数位置、前記異なる同期順序と前記予め設定された同期順序の時間周波数位置、又は、前記同期順序の前記異なるシフトと前記予め設定された同期順序の時間周波数位置、を含む、
請求項９に記載の方法。
【請求項１３】
第１の同期信号を受信するように構成される受信モジュールと、
前記第１の同期信号の構成情報がシステム情報変更の指示として構成されているか否かを識別するように構成される識別モジュールと、
更新モジュールと、
を備えるシステム情報処理装置であって、
前記受信モジュールは更に、前記第１の同期信号の前記構成情報が前記システム情報変更の指示として構成されていると前記識別モジュールが識別した場合、ブロードキャストされるシステム情報を受信するように構成され、
前記更新モジュールは、前記第１の同期信号と受信された前記ブロードキャストされるシステム情報とに従って、現在の同期信号と前記システム情報とのマッピング関係を更新するように構成される、
システム情報処理装置。
【請求項１４】
前記識別モジュールは、前記第１の同期信号の前記構成情報を、前記現在の同期信号と前記システム情報との前記マッピング関係中の同期信号の構成情報と比較するように構成され、前記第１の同期信号の前記構成情報が前記現在の同期信号と前記システム情報との前記マッピング関係中の前記同期信号の前記構成情報と異なる場合、前記受信モジュールはブロードキャストされる第１のシステム情報を受信し、
前記更新モジュールは、前記同期信号と前記システム情報との前記マッピング関係に、前記第１の同期信号と前記第１のシステム情報とのマッピング関係を記憶するように構成される、
請求項１３に記載の装置。
【請求項１５】
前記第１のシステム情報が第２の同期信号を含み、且つ、前記第２の同期信号の構成情報が予め設定されたブロードキャスト情報が開始されることの指示として構成されている場合、前記受信モジュールは更に、前記予め設定されたブロードキャスト情報を取得するように構成され、
当該装置は更に、前記予め設定されたブロードキャスト情報を保存するように構成される保存モジュールを備える、
請求項１４に記載の装置。
【請求項１６】
前記受信モジュールは更に、第３の同期信号を受信するように構成され、
当該装置は更に、前記第３の同期信号を保存するように構成される保存モジュールを備え、
前記受信モジュールは更に、ブロードキャストされる第３のシステム情報を受信するように構成され、
前記保存モジュールは更に、前記第３の同期信号及び前記第３のシステム情報に従って、前記現在の同期信号と前記システム情報との前記マッピング関係を確立するように構成される、
請求項１３に記載の装置。
【請求項１７】
前記第３の同期信号がＮ個のグループの構成情報を含み、前記第３のシステム情報がＮ個の部分のシステム情報を含み、ｉ番目のグループの構成情報がｉ番目の部分のシステム情報に対応し且つ前記ｉ番目の部分のシステム情報が変更されるか否かを示すのに用いられるとき、前記識別モジュールは、第１の同期信号の前記構成情報がシステム情報変更の指示として構成されているか否かを識別するように構成され、前記第１の同期信号のｉ番目のグループの構成情報が前記第１のシステム情報のｉ番目の部分のシステム情報の変更の指示として構成されていると識別された場合、前記受信モジュールは、ブロードキャストされるシステム情報のｉ番目の部分を受信し、
前記更新モジュールは、前記ｉ番目のグループの構成情報と前記ｉ番目の部分のシステム情報とに従って、前記現在の同期信号と前記システム情報との前記マッピング関係において、前記第１の同期信号及び前記第１のシステム情報を更新するように構成され、
ｉとＮの両方は正の整数であり、ｉはＮ以下である、
請求項１６に記載の装置。
【請求項１８】
システム情報が変更されたときに、ブロードキャストされる同期信号の構成情報に変更処理を実行するように構成される変更処理モジュールと、
変更された第１のシステム情報と前記変更処理後に生成された第１の同期信号とを、ＵＥに、前記第１の同期信号を受信した後、前記第１の同期信号の構成情報が前記第１のシステム情報の変更の指示として構成されているか否かを識別し、前記第１の同期信号が前記第１のシステム情報の変更の前記指示として構成されていると識別された場合、ブロードキャストされた前記変更された第１のシステム情報を受信し、前記第１の同期信号とブロードキャストされる前記変更された第１のシステム情報とに従って、現在の同期信号と前記システム情報とのマッピング関係を更新するために、ブロードキャストするように構成されるブロードキャストモジュールと、
を備えるシステム情報処理装置。
【請求項１９】
前記ブロードキャストモジュールは更に、前記第１のシステム情報をブロードキャストするように構成され、前記第１のシステム情報は第２の同期信号を含み、前記第２の同期信号の構成情報は予め設定されたブロードキャスト情報が開始されることの指示として構成され、それにより前記ＵＥは、ブロードキャストされる前記第１のシステム情報を受信した後、前記予め設定されたブロードキャスト情報を取得し、前記予め設定されたブロードキャスト情報を保存する、
請求項１８に記載の装置。
【請求項２０】
前記ブロードキャストモジュールは更に、第３の同期信号をブロードキャストし、且つ第３のシステム情報をブロードキャストするように構成され、それにより前記ＵＥは、前記第３の同期信号及び前記第３のシステム情報を受信した後、前記現在の同期信号と前記システム情報との前記マッピング関係を確立する、
請求項１８に記載の装置。
【手続補正２】
【補正対象書類名】明細書
【補正対象項目名】００１２
【補正方法】変更
【補正の内容】
【００１２】
第１の態様又は第１の態様の第１〜第６の可能な実施方式のいずれか１つに関して、第１の態様の第７の可能な実施方式では、第１の同期信号の構成情報、第２の同期信号の構成情報及び／又は第３の同期信号の構成情報は、異なる同期順序、同期順序の異なるシフト、予め設定された同期順序の時間周波数位置、異なる同期順序と予め設定された同期順序の時間周波数位置、又は、同期順序の異なるシフトと予め設定された同期順序の時間周波数位置、を含む。
【手続補正３】
【補正対象書類名】明細書
【補正対象項目名】００３２
【補正方法】変更
【補正の内容】
【００３２】
本発明の実施形態の技術的解決策をより明確に説明するために、以下、実施形態又は従来技術の説明に必要な添付の図面を簡単に紹介する。当然ながら、添付の図面は以下の説明において本発明の一部の実施形態を示すに過ぎない。当業者であれば、これらの添付の図面から創意工夫なく、他の図面を更に導出できるであろう。
【手続補正４】
【補正対象書類名】明細書
【補正対象項目名】００３４
【補正方法】変更
【補正の内容】
【００３４】
本発明の実施形態の目的、技術的解決策及び利点をより明確に説明するために、以下、本発明の実施形態において添付の図面を参照しながら、本発明の実施形態の技術的解決策を明確に説明する。当然ながら、説明される実施形態は本発明の実施形態の一部であって、全部ではない。当業者が本発明の実施形態に基づいて創意工夫なく得た他の実施形態は全て、本発明の保護範囲に包含されるものとする。
【手続補正５】
【補正対象書類名】明細書
【補正対象項目名】００３７
【補正方法】変更
【補正の内容】
【００３７】
ステップ１０２：第１の同期信号の構成情報がシステム情報変更の指示として構成されているか否かを識別する。第１の同期信号の構成された構成情報がシステム情報変更の指示として構成されていると識別された場合、ブロードキャストされるシステム情報を受信し、第１の同期信号と受信されたブロードキャストされるシステム情報とに従って、現在の同期信号とシステム情報とのマッピング関係を更新する。
【手続補正６】
【補正対象書類名】明細書
【補正対象項目名】００４５
【補正方法】変更
【補正の内容】
【００４５】
本実施形態では、ＵＥが最初にネットワークにアクセスするとき、ＵＥはまず、ネットワーク側装置との同期を実施するために、ネットワーク側装置によってブロードキャストされる第３の同期信号を受信し、第３の同期信号を保存してよい。それから、ＵＥは、ネットワーク側装置によってブロードキャストされる第３のシステム情報を受信し、第３の同期信号及び第３のシステム情報に従って、現在の同期信号とシステム情報とのマッピング関係を確立する。
【手続補正７】
【補正対象書類名】明細書
【補正対象項目名】００５５
【補正方法】変更
【補正の内容】
【００５５】
本実施形態では、ＵＥが最初にネットワークにアクセスするとき、ＵＥはまず、ネットワーク側装置との同期を実現するために、ネットワーク側装置によってブロードキャストされる第３の同期信号を受信し、第３の同期信号を保存してよい。それから、ＵＥはネットワーク側によってブロードキャストされる第３のシステム情報を受信し、第３の同期信号及び第３のシステム情報に従って、現在の同期信号とシステム情報とのマッピング関係を確立する。
【手続補正８】
【補正対象書類名】明細書
【補正対象項目名】００７９
【補正方法】変更
【補正の内容】
【００７９】
更に、本発明の更に別の実施形態では、図５に示される実施形態に基づき、受信モジュール１１は更に、第３の同期信号を受信するように構成され、本装置は、第３の同期信号を保存するように構成される保存モジュール１４を更に備える。受信モジュール１１は更に、ブロードキャストされる第３のシステム情報を受信するように構成され、保存モジュール１４は更に、第３の同期信号及び第３のシステム情報に従って、現在の同期信号とシステム情報とのマッピング関係を確立するように構成される。
【手続補正９】
【補正対象書類名】明細書
【補正対象項目名】００８０
【補正方法】変更
【補正の内容】
【００８０】
任意に、第３の同期信号がＮ個のグループの構成情報を含み、第３のシステム情報がＮ個の部分のシステム情報を含み、ｉ番目のグループの構成情報はｉ番目の部分のシステム情報に対応し、且つｉ番目の部分のシステム情報が変更されるか否かを示すのに用いられるとき、識別モジュール１２は、具体的には、第１の同期信号がシステム情報変更の指示として構成されているか否かを識別するように構成される。第１の同期信号のｉ番目のグループの構成情報が第１のシステム情報のｉ番目の部分のシステム情報の変更の指示として構成されていると識別された場合、受信モジュール１１は、ブロードキャストされるｉ番目の部分のシステム情報を受信する。更新モジュール１３は、ｉ番目のグループの構成情報とｉ番目の部分のシステム情報とに従って、具体的には、現在の同期信号とシステム情報とのマッピング関係において、第１の同期信号及び第１のシステム情報を更新するように構成される。ｉとＮの両方は正の整数であり、ｉはＮ以下である。
【国際調査報告】
2017503419.tif 000010
2017503419.tif 000011
2017503419.tif 000012
2017503419.tif 000013